(57)【要約】【課題】空気流を噴射しながら汚れを吸引するタイプの構成において、装置全体の小型化を図る。【解決手段】 清掃ノズル１００は、 清掃面に向けて高圧空気流を噴出する噴出部１１０と、噴出部１１０を内部に収容し、清掃面に対して開口して清掃面の塵埃を吸引する吸引部１２０とを備える。噴出部１１０は、図示しない清掃装置本体で生成された高圧空気が供給される噴出パイプ１１１を備えるとともに、供給された高圧空気を清掃面に対して噴出させるための噴出口１１３を備える。【選択図】図１
2011104521.tif 000002
【特許請求の範囲】
【請求項１】
清掃面に向けて高圧空気を噴出する噴出口を備える噴出部と、前記噴出部を収容し、清掃面に対して開口して清掃面の塵埃を吸引する吸引口を備える吸引部とを備える清掃ノズル。
【請求項２】
前記吸引口を囲む弾性部材を備える請求項２記載の清掃ノズル。
【請求項３】
前記噴出部及び前記吸引部を清掃面に対して移動自在に支持する支持部を備える請求項１又は２記載の清掃ノズル。
【請求項４】
前記吸引部を縦又は横方向に連結する連結部を備える請求項１から３の何れか一項に記載の清掃ノズル。
【請求項５】
請求項１から４の何れか一項に記載の清掃ノズルを備えた清掃装置。
【発明の詳細な説明】
【技術分野】
【０００１】
この発明は、床面、路面などの清掃面に付着した汚れを除去するための清掃ノズル及び清掃装置に関する。
【背景技術】
【０００２】
車両が走行する路面などを清掃するための技術として、路面に対して空気流を噴射しながら、路面に付着した物を吸引するものが知られている（特許文献１）。
【０００３】
【特許文献１】特開２００５-４８４２１号公報
【発明の概要】
【発明が解決しようとする課題】
【０００４】
特許文献１に記載された技術は、空気を噴射する噴射部と、付着物を吸引する吸引部とを並べて構成しているため噴射部と吸引部が占める面積が大きくなる。特許文献１に記載された技術は、路面など清掃対象が広いものを対象としているため、大型の装置であっても特に問題はない。しかしながら屋内清掃を行おうとする場合は、装置全体の小型化が求められる。
【０００５】
特許文献１に記載の技術では、噴射部から噴射した空気の噴射により粉塵等の清掃対象物が飛散してしまう。水流の噴射であれば、清掃対象物の飛散を防ぐことができるものの、水流を利用する場合は、粉塵等が混入した汚水の処理が必要となることから、空気の噴射を利用したいという要望がある。
【０００６】
この発明は、空気流を噴射しながら汚れを吸引するタイプの構成において、装置全体の小型化を図るとともに、清掃対象物の飛散を防ぐことを目的とする。
【課題を解決するための手段】
【０００７】
この発明に係る清掃ノズルは、清掃面に向けて高圧空気を噴出する噴出口を備える噴出部と、前記噴出部を収容し、清掃面に対して開口して清掃面の塵埃を吸引する吸引口を備える吸引部とを備える。
【０００８】
上記構成によれば、 空気流を噴出しながら汚れを吸引するタイプの構成において、空気を吸引する吸引部に高圧空気流を噴出するための噴出部を収容するように構成しているので、吸引部と噴出部とを並列する構成に比べて清掃ノズルを小さくすることができ、装置全体の小型化を図ることができる。また、噴出部を吸引部に収容しているため、清掃対象物が周囲に飛散することなく、直接吸引部に吸引されるため、清掃対象物が飛散するということもない。
【０００９】
この発明において、前記吸引口を囲む弾性部材を備えるようにしてもよい。この構成によれば、清掃ノズルの内部と外部とで空気を遮断することができ、清掃ノズル外部の空気を吸引することを防ぐことができるため、清掃ノズルの吸引力の低下を防ぐことができる。
【００１０】
また、この発明において、前記噴出部及び前記吸引部を清掃面に対して移動自在に支持する支持部を備えるようにしてもよい。この構成によれば、清掃ノズルの移動がし易くなる。
【００１１】
また、この発明において、前記吸引部を縦又は横方向に連結する連結部を備えるようにしてもよい。この構成によれば、清掃面の大きさに応じて清掃ノズルの清掃面積を拡大させることができる。
【発明の効果】
【００１２】
以上説明したように、本発明によれば、 空気流を噴出しながら汚れを吸引するタイプの構成において、空気を吸引する吸引部に高圧空気流を噴出するための噴出部を収容するように構成しているので、吸引部と噴出部とを並列する構成に比べて清掃ノズルを小さくすることができ、装置全体の小型化を図ることができる。また、噴出部を吸引部に収容しているため、清掃対象物が周囲に飛散することなく、直接吸引部に吸引されるため、清掃対象物が飛散するということもない。
【図面の簡単な説明】
【００１３】
【図１】本発明の一実施の形態に係る清掃ノズルの構成を示す図。
【図２】図1に示した清掃ノズルの底面を示す図。
【発明を実施するための形態】
【００１４】
図１は本発明の実施の形態に係る清掃ノズルの構成を示す図、図２は清掃ノズルの底面を示す図である。清掃ノズル１００は、 清掃面に向けて高圧空気流を噴出する噴出部１１０と、噴出部１１０を内部に収容し、清掃面に対して開口して清掃面の塵埃を吸引する吸引部１２０とを備える。噴出部１１０は、図示しない清掃装置本体で生成された高圧空気が供給される噴出パイプ１１１を備えるとともに、供給された高圧空気を清掃面に対して噴出させるための噴出口１１３を備える。
【００１５】
また、吸引部１２０は内部に噴出部１１０を収容し、清掃面に向けて開口し、断面が台形に形成された吸引口を備え、吸引口から吸引した塵埃を含む空気を吸引する吸引パイプ１２１を備える。吸引口から吸引した空気は吸引パイプを介して図示しない清掃装置本体に供給される。
【００１６】
清掃ノズルが搭載される清掃装置本体は、噴出部１１０に供給する高圧空気を生成する機能と、吸引部１２０に供給する吸引力を生成する吸引機能を備える。
【００１７】
また、清掃面に向かって開口する吸引部１２０の吸引口には、弾性部材として硬質ゴム１２３が設けられる。これは吸引部１２０が外部の空気を吸引すると、清掃ノズル内部の吸引力が低下するため、清掃ノズル１００の内部と外部とを遮断するためである。吸引部１２０に設けた弾性部材を清掃面に接触することにより、清掃ノズル１００の内部と外部とで空気を遮断することができる。しかし、清掃時には弾性部材を清掃面に接触させた状態で、清掃ノズルを移動させる必要があるため、清掃ノズルを移動し易くするために清掃面に接触する弾性部材を硬質ゴムで構成することが好ましい。
【００１８】
また、清掃ノズルを移動し易くするために、吸引部１２０の周辺にキャスターローラ１２５を設け、清掃ノズル１００を清掃面に対して移動自在に支持するようにしてもよい。
【００１９】
なお、清掃面の大きさに応じて清掃ノズル１００を連結させるようにしてもよい。図示例では、清掃ノズル１２０を長手方向に図示しない連結部材を介して連結させることにより清掃領域を拡大させている。図示例のように清掃ノズル１２０を縦方向に連結させる他、横方向に連結させるようにしてもよい。
【００２０】
上記構成によれば、空気流を噴出しながら汚れを吸引するタイプの構成において、空気を吸引する吸引部に高圧空気流を噴出するための噴出部を収容するように構成しているので、吸引部と噴出部とを並列する構成に比べて清掃ノズルを小さくすることができ、装置全体の小型化を図ることができる。また、噴出部を吸引部に収容しているため、清掃対象物が周囲に飛散することなく、直接吸引部に吸引されるため、清掃対象物が飛散するということもない。
【符号の説明】
【００２１】
１００  清掃ノズル
１１０  噴出部
１２０  吸引部
【図１】
2011104521.tif 000003
【図２】
2011104521.tif 000004